(57)【要約】【課題】着用者において自分の体格や日々着用する衣服の変化に応じてその長さを木目細かに迅速かつ確実に調節することにより、体格、衣服等に合う適切な長さにおいて使用することができ、ネックレス、ブレスレット、アンクレットの何れにも選択使用することが可能な長さ調節可能な装身具を提供することを目的とする。【解決手段】多数の珠玉に貫通孔を設け、この貫通孔内に通糸等を挿通して連結した連珠状の装身具であって、この連珠部の一端に台座を取り付け、この台座に、連珠部の通糸の通過を許容する幅に開口する首部を備えたフックを設けるとともに、フックに形成された所定幅に開口する上記首部に、開口部分を通糸の通過に応じて開閉する弾性開閉機構を取り付けたことを特徴とする長さを調節可能な装身具。【選択図】          図２
2004236941.tif 000002
【特許請求の範囲】
【請求項１】
多数の珠玉に貫通孔を設け、この貫通孔内に通糸等を挿通して連結した連珠状の装身具であって、この連珠部の一端に台座を取り付け、この台座に、連珠部の通糸の通過を許容する幅に開口する首部を備えたフックを設けるとともに、フックに形成された所定幅に開口する上記首部に、開口部分を通糸の通過に応じて開閉する弾性開閉機構を取り付けたことを特徴とする長さを調節可能な装身具。
【請求項２】
台座が種々のデザインを施された装飾部を備えていることを特徴とする請求項１に記載の長さを調節可能な装身具。
【請求項３】
フックが通糸を挿通する際に開閉しない硬質材料からなることを特徴とする請求項１に記載の長さを調節可能な装身具。
【請求項４】
珠玉がダイヤモンド、エメラルド、ルビー、ヒスイ、水晶等の宝石や貴石、真珠、サンゴ、その他の珠玉素材からなり、これらを通糸にて連結して連珠状の装身具が形成されることを特徴とする請求項１に記載の長さを調節可能な装身具。
【発明の詳細な説明】
【０００１】
【発明の属する技術分野】この発明は、長さを調節可能な装身具に関し、着用者の首や手首、足首等の太さに応じて、あるいはネックレス、ブレスレット、さらにはアンクレット等の用途に応じて使分けが行なえるようにした長さを調節可能な装身具を提供しようとするものである。
【０００２】
【従来の技術】従来、装身具にはネックレス（リング状首飾り）、ブレスレット（リング状腕飾り）、アンクレット（リング状足飾り）のようにその全体形状が無端状に形成されるものがある。そしてネックレス、ブレスレット、アンクレットは金、銀、プラチナやそれらの合金等の貴金属にて編成されるチェーンや、ダイヤモンド、エメラルド、ルビー、ヒスイ、水晶等の宝石や貴石、真珠、サンゴ、その他の珠玉を通糸を用いて連珠状に連結したものから構成されている。そして上記連珠状の装身具は、珠玉に貫通孔を設け、その貫通孔内に通常の紐やシリコンゴム製の紐、ピアノ線、あるいはチェーン類からなる通糸等を挿通することにより多数の珠玉を連続的に連結したものであり、この連結手段としてはいわゆるクラスプを用いたものが一般的である。
【０００３】しかしながら上記従来のネックレス、ブレスレット、アンクレット等からなる装身具は一定の長さを有しているため、着用者の首や手首、足首等の太さに応じて、あるいはネックレス、ブレスレット、さらにはアンクレット等の用途に応じて使分けることはできず、非常に不便であった。
【０００４】したがって、着用者は自分の首や手首、足首等の太さに応じて、あるいはネックレス、ブレスレット、さらにはアンクレット等の用途に応じて、その要求に対応したものを入手することは稀であり、長過ぎて着用した場合に正常な位置からずれたり、あるいは手首や足首等からずり落ちたりという問題点や、反対に短かすぎて着用することができないという問題点があった。
【０００５】しかも着用者は、既製品からその好みにあったデザイン、品質、重量、ボリューム感等を全て満足する装身具を入手することは困難で、なおかつそれぞれその用途にあった専用の長さに形成されていた。そのためこれらの要求を可能な限り満たすものを購入しようとする場合には、注文生産によってのみ購入可能になっていた。もちろんその場合、製作に時間と手間とが多く必要になり、製作コストも高価になっていた。
【０００６】そこで、従来のネックレス、ブレスレット、アンクレット等の装身具においても、その長さを調節可能な機構が提案されている。
そのうち、連珠状の装身具の一端をその長さ方向の適所に係合させてその長さを調節するものとしては、例えば実公平４−３０８８４号公報に示されたクリップ状の長さ調節機構が知られている。これは１対の３字形の半割部材の一端をヒンジで連結し、他端をピンと係止環状とで係止できるようにしたものである。また実公平４８−１０３９号公報には、円盤状の連結具に小孔と小孔に通じるスリットを設け、このスリットから小孔位置に小孔より大きな珠玉等の係止玉をはめ込んで連結するようになっている。
【０００７】
【発明が解決しようとする課題】しかしながら、上記実公平４−３０８８４号公報に示されたクリップ状の長さ調節機構においては、半割部材の開閉やピンへの係止環状の取付け等を必要として、着脱の操作が面倒な上に故障しやすく、またピンが突出していて危険であるという問題があった。
また実公平４８−１０３９号公報の中央に小孔を設けた円盤状の連結具に小孔に通じるスリットを設けた機構においては、スリットが開口したままであって紐等が外れやすく、円盤状の連結具の小孔から抜け止め用の係止玉が突出して美観を損なうという問題があった。
【０００８】そこでこの発明は、着用者において自分の体格や日々着用する衣服の変化に応じてその長さを木目細かに迅速かつ確実に調節することにより、体格、衣服等に合う適切な長さにおいて使用することができ、ネックレス、ブレスレット、アンクレットの何れにも選択使用することが可能な長さ調節可能な装身具を提供することを目的とする。
【０００９】
【課題を解決するための手段】この発明の長さを調節可能な装身具は上記に鑑み、多数の珠玉に貫通孔を設け、この貫通孔内に通糸等を挿通して連結した連珠状の装身具であって、この連珠部の一端に台座を取り付け、この台座に、連珠部の通糸の通過を許容する幅に開口する首部を備えたフックを設けるとともに、フックに形成された所定幅に開口する上記首部に、開口部分を通糸の通過に応じて開閉する弾性開閉機構を取り付けたことを特徴とするものである。
【００１０】この発明の長さを調節可能な装身具は、上記台座が種々のデザインを施された装飾部を備えていることをも特徴とするものである。
【００１１】この発明の長さを調節可能な装身具は、上記フックが通糸を挿通する際に開閉しない硬質材料からなることをも特徴とするものである。
【００１２】この発明の長さを調節可能な装身具は、上記珠玉がダイヤモンド、エメラルド、ルビー、ヒスイ、水晶等の宝石や貴石、真珠、サンゴ、その他の珠玉素材からなり、これらを通糸にて連結して連珠状の装身具が形成されることをも特徴とするものである。
【００１３】
【発明の実施の形態】以下、図１ないし図４に基いてこの発明の長さを調節可能な装身具の実施の形態を説明する。
図１はこの発明の長さを調節可能な装身具の１実施例を示し、ネックレスに適用した場合の正面図、図２はフックを設けた台座の概略側面図、図３はその底面図である。
【００１４】この発明の長さを調節可能な装身具の１実施例を示す図１ないし図３において、ネックレスの例を示す連珠状の装身具１１は、多数の珠玉１２に貫通孔１３を設け、この貫通孔１３内に通糸１４等を挿通して連結したものである。そして、この連珠部の一端には台座１５が取り付けてあり、この台座１５は表面に種々のデザインを施された装飾部１６を備えている。図では装飾部１６として小さい種子を備えた複数の葉のデザインからなっている。
【００１５】上記台座１５は、その背面に上記連珠部の一端に連珠部の通糸１４の通過を許容する幅に開口する首部１８を備えたフック１７が設けてある。このフック１７は例えば貴金属性の板状体にスリット状に首部１８を形成すること等によって、通糸を挿通する際に開閉しない構造としてある。そしてこのフック１７に形成された所定幅に開口する上記首部１８の適所には、その開口部分を通糸１４の通過に応じて開閉する、弾性開閉機構が取り付けられている。
【００１６】上記弾性開閉機構は、台座１５上に形成したフック１７の取付台１９と、この取付台１９に収納され、一端を上記フック１７に向けて取付台１９から突出させたバネ材２１とで構成されている。したがって、連珠部の通糸１４はフック１７の首部１８の開口部分にこのバネ材２１を越えて通過させ、フック１７内に収納することによりフック１７と係合される。その際、連珠部の通糸１４は抜き出す方向にはバネ材２１によって係止されるので、フック１７の首部１８の開口部分から簡単に抜け落ちることがない。
図において２２はバチカン、２３は連結環である。
【００１７】このネックレスの例を示す長さを調節可能な装身具は、上記珠玉１２がダイヤモンド、エメラルド、ルビー、ヒスイ、水晶等の宝石や貴石、真珠、サンゴ、その他の珠玉素材からなり、これらを通糸１４にて連結して連珠状の装身具が形成されている。
【００１８】この発明の長さを調節可能な装身具の１実施例は以上の通りであり、以下作用を説明する。
着用者は予め所定の長さとして製作されているネックレスを購入する。そしてこのネックレスを使用する場合、着用者の首回り（太さ）を考慮し、フック１７を連珠状の装身具１１の適宜位置に組み付けて接続する。したがって、ネックレスは着用者の首回りにフィットした状態で装着することができる。
【００１９】その際、フック１７の開口部分を連珠状の装身具１１の適宜位置に挿通するだけで、ワンタッチでフック１７を連珠状の装身具１１に係合させることができる。また開口部分に位置しているバネ材２１によって簡単に脱落することが妨げられているので、一端装着した場合には運動を行っても不用意に首から抜け落ちることがない。
【００２０】上記実施例においてはネックレスに適用した場合について説明したが、その長さのままでブレスレットやアンクレットに利用することも容易である。そして、上記ネックレスとしての長さを確保したものをブレスレットやアンクレットとして利用する場合は、一定の長さのものを２重巻き以上に巻くことで利用が可能となる。
【００２１】
【発明の効果】この発明によれば、着用者において自分の体格や日々着用する衣服の変化に応じてその長さを木目細かに迅速かつ確実に調節することにより、体格、衣服等に合う適切な長さにおいて使用することができ、かつネックレス、ブレスレット、アンクレットの何れにも選択使用することが可能な長さ調節可能な装身具を提供することが可能となった。
【００２２】またこの発明の長さ調節可能な装身具によれば、フックの開口部分を連珠状の装身具の適宜位置に挿通するだけで、ワンタッチでフックを連珠状の装身具に係合させることができる。また開口部分に位置しているバネ材によって簡単に脱落することが妨げられているので、一端装着した場合には運動を行っても不用意に手首から抜け落ちることがない。
【図面の簡単な説明】
【図１】この発明の長さを調節可能な装身具の１実施例を示し、ネックレスに適用した場合の正面図である。
【図２】フックを設けた台座の概略側面図である。
【図３】その底面図である。
【符号の説明】
１１  連珠状の装身具
１２  多数の珠玉
１３  貫通孔
１４  通糸
１５  台座
１６  装飾部
１７  フック
１８  首部
１９  取付台
２１  バネ材
２２  バチカン
２３  連結環
【図１】
2004236941.tif 000003
【図２】
2004236941.tif 000004
【図３】
2004236941.tif 000005